(57)【要約】      （修正有）【課題】プレーヤーの個性に合わせてヘッドの前後方向や左右方向だけでなく、上下方向の重心バランスを最適に調整することにより、容易にボールにバックスピン（逆回転）やトップスピンをかけたりすることができ、ボールにコントロールをつけ易い汎用性、取扱い性に優れるゴルフクラブヘッドを提供する。【解決手段】カバー部６が、バランサー９の外周を囲繞するバランサー収容凹部と、バランサー収容凹部と仕切られヘッド本体のクラウン側２ｄ及びソール側に形設され１乃至複数の重心高さ調整バランサーが収容される上下一対の重心高さ調整部と、を備えている。【選択図】図４
0003148909.tif 000002
【実用新案登録請求の範囲】
【請求項１】
１乃至複数のバランサーが着脱自在に収容され、ヘッド本体のバックフェース面側のトウ側及びヒール側に着脱自在に覆設されるカバー部を備えた左右一対のバランス調整部を有するゴルフクラブヘッドであって、
前記カバー部が、前記バランサーの外周を囲繞するバランサー収容凹部と、前記バランサー収容凹部と仕切られ前記ヘッド本体のクラウン側及びソール側に形設され１乃至複数の重心高さ調整バランサーが収容される上下一対の重心高さ調整部と、を備えていることを特徴とするゴルフクラブヘッド。
【請求項２】
前記バランス調整部が、前記ヘッド本体のバックフェース面側のトウ側及びヒール側の角部に形成された切り欠き部と、前記切り欠き部のバックフェース面側の端面に形設された本体雌螺子部と、前記バランサーの中央部に穿設された挿通孔に挿通される挿通軸と，前記挿通軸の一端に形設され前記切り欠き部の前記本体雌螺子部に螺合される雄螺子部と，前記バランサーの前記挿通孔よりも大きな外形を有し前記挿通軸の他端に配設された頭部と，前記頭部に形設された頭部雌螺子部と，を備えたバランサー固定具と、を有し、前記カバー部が、前記カバー部のバックフェース面側から前記バランサー収容凹部に連通する貫通孔と、前記貫通孔から挿通され前記バランサー固定具の前記頭部雌螺子部に螺着されるカバー部固定螺子と、を備えていることを特徴とする請求項１に記載のゴルフクラブヘッド。
【請求項３】
前記バランサー及び前記重心高さ調整バランサーが、比重の異なる金属，合成樹脂，合成ゴムのいずれか１種以上を組合せたものであることを特徴とする請求項１又は２に記載のゴルフクラブヘッド。
【請求項４】
前記ヘッド本体のソールの少なくともトウ側とヒール側の間のセンター部に形成された凹部を備えていることを特徴とする請求項１乃至３の内いずれか１項に記載のゴルフクラブヘッド。
【請求項５】
前記凹部が、前記ヘッド本体のフェース面側が深くなるようにバックフェース面側から彫り込まれて形成された傾斜部を備えていることを特徴とする請求項４に記載のゴルフクラブヘッド。
【請求項６】
前記ヘッド本体のソールの形状が、バウンスソール，スクープソール，フラットソール，ラウンドソールの内のいずれか１つ又は２つの組合せで形成されていることを特徴とする請求項１乃至５の内いずれか１項に記載のゴルフクラブヘッド。
【請求項７】
ウッド，アイアン，パターの内のいずれか一種であることを特徴とする請求項１乃至６の内いずれか１項に記載のゴルフクラブヘッド。
【請求項８】
請求項１乃至７の内いずれか１項に記載のゴルフクラブヘッドを備えていることを特徴とするゴルフクラブ。
【考案の詳細な説明】
【技術分野】
【０００１】
本考案は、ゴルフクラブヘッド及びそれを備えたゴルフクラブに関するものである。
【背景技術】
【０００２】
従来のゴルフクラブヘッドは、距離を伸ばすことに主眼を置いて、ヘッドを走り易くする方向、即ち加速する方向を狙ったものであり、ソールを滑り易くした加速設計が主流となっていた。
よって、デザイン性を重視してソールに凹凸部のようなものを設けたものはあったが、打ち出されたボールを意図的に減速させて飛距離や転がり量を低減させたり、積極的にバックスピン（逆回転）をかけたりするための形状に関しては、ロフト角度の調整を除いては検討されていなかった。
そこで、本願出願人は鋭意研究の結果、（特許文献１）を出願した。
（特許文献１）には、「ヘッド本体のソールが、平坦部と、互いに交差する複数の凸条又は凹溝を有する凹凸部と、を有し、前記ヘッド本体のバックフェース面側に重錘及び／又はスペーサが着脱自在に配設されるバランス調整部を備えていることを特徴とするゴルフクラブヘッド。」が開示されている。
【特許文献１】ＷＯ２００８／０８７７６２号公報
【考案の開示】
【考案が解決しようとする課題】
【０００３】
（特許文献１）のゴルフクラブヘッドは、従来のようにロフト角度の調整を重視するものとは異なり、凹凸部の深さや前後左右の重さのバランス（重心位置）を考慮することにより、クラブを強く振り抜いても自然にブレーキがかかり、ボールにスピンがかかり易くなり、コントロールをつけ易くなって、使用性に優れるものであった。
しかし、凹凸部の深さは製造時に設定されるため、購入後に、重心の高さ方向位置を調整することは困難であり、トウ側とヒール側のバランス調整部だけでは、重錘やスペーサの比重や配置を組合せても、フェース面の前後方向及び左右方向にしか重心位置を調整することができず、数グラムから数百グラムまでの幅広い範囲で微調整が可能な重心調整の自在性、汎用性に優れるゴルフクラブヘッドの開発が望まれていた。
また、（特許文献１）のようなバランス調整部を備えていないゴルフクラブヘッドを使用する場合や（特許文献１）のゴルフクラブヘッドで十分なバランス調整ができないユーザは、ゴルフクラブの購入後に、自分の好みや癖などに応じて、ゴルフクラブヘッドに鉛などの重錘を貼り付けるなどして、重心の調整を行うことがあったが、環境保護の観点からも、ユーザが重心調整のために鉛などを使用することなく、簡便に重心の微調整を行うことが可能な環境保護性に優れたゴルフクラブヘッドの開発が望まれていた。
【０００４】
本考案は上記課題を解決するもので、プレーヤーの個性に合わせてヘッドの前後方向や左右方向だけでなく、上下方向の重心バランスを最適に調整することにより、容易にボールにバックスピン（逆回転）やトップスピンをかけたりすることができ、ボールにコントロールをつけ易く、汎用性、取扱い性に優れ、幅広い範囲で微調整が可能な重心調整の自在性に優れるゴルフクラブヘッドの提供、及びそれを備えることにより、カップまでの距離やグリーン上の芝の種類、状態などに応じてボールの飛距離や速度、回転、転がりなどを容易に調整することができる機能性、使用性に優れるゴルフクラブの提供を目的とする。
【課題を解決するための手段】
【０００５】
上記課題を解決するために本考案のゴルフクラブヘッド及びそれを備えたゴルフクラブは、以下の構成を有している。
本考案の請求項１に記載のゴルフクラブヘッドは、１乃至複数のバランサーが着脱自在に収容され、ヘッド本体のバックフェース面側のトウ側及びヒール側に着脱自在に覆設されるカバー部を備えた左右一対のバランス調整部を有するゴルフクラブヘッドであって、前記カバー部が、前記バランサーの外周を囲繞するバランサー収容凹部と、前記バランサー収容凹部と仕切られ前記ヘッド本体のクラウン側及びソール側に形設され１乃至複数の重心高さ調整バランサーが収容される上下一対の重心高さ調整部と、を備えている構成を有している。
この構成により、以下のような作用を有する。
（１）ヘッド本体に着脱自在に覆設されるバランス調整部のカバー部が、バランサーの外周を囲繞するバランサー収容凹部を有するので、バランサーを風雨や外力から保護して破損や紛失などを防ぐことができ、使用性に優れる。
（２）カバー部が、ヘッド本体のクラウン側及びソール側に形設され１乃至複数の重心高さ調整バランサーが収容される上下一対の重心高さ調整部を有するので、バランサー収容凹部に収容されるバランサーによるヘッドの前後方向や左右方向の重心位置の調整だけでなく、上下方向の重心位置も調整することができ、ユーザの癖や好み等に応じた最適な重心バランスを設定することができ、重心調整の自在性、汎用性に優れる。
（３）バランサー収容凹部と上下一対の重心高さ調整部が仕切られているので、バランサー収容凹部に収容されるバランサーと、重心高さ調整部に収容される重心高さ調整バランサーが干渉することがなく、使用性に優れる。
（４）バランサー収容凹部に収容されるバランサーや重心高さ調整部に収容される重心高さ調整バランサーの数、各々のバランサーや重心高さ調整バランサーの比重（重量）、配置の組合せを選択することにより、ヘッド本体の形状によらず、ユーザの癖や好み等に応じて、幅広い範囲で簡便にヘッド本体の重心位置を細かく調整して最適位置を選択することができ、重心設計の自在性、汎用性に優れる。
（５）バランサーや重心高さ調整バランサーでヘッド全体の重心をフェース面側やソール面側が重くなるようにした場合、フェース面がボールの芯の下（赤道上の重心より低い位置）に当たり易くなり、ボールのバックスピン回転を増やすことができ、ボールにコントロールをつけ易く、ショートクラブ用或いは短距離又は速いグリーンでのパッティング用のクラブヘッドとしての使用性に優れる。
（６）バランサーや重心高さ調整バランサーでヘッド全体の重心をクラウン側やバックフェース面が重くなるようにした場合、フェース面がボールの芯（赤道上の重心付近）又は芯よりやや高い位置に当たり易くなり、インパクト時のロスを減らして、飛距離を伸ばすことができる。
【０００６】
ここで、ゴルフクラブヘッドの基本的な重心の位置は、ヘッド本体の形状や寸法によって決まるが、ゴルフクラブに要求される飛距離、風やグリーンの状態、或いはユーザの癖や好み等に応じて、バランサー収容凹部や重心高さ調整部に収容するバランサーや重心高さ調整バランサーの材質、数、配置の組合せなどにより、簡便に調整することができる。
よって、各々のバランサーや重心高さ調整バランサーの比重（材質）や重量は、適宜、選択することができ、全て同じである必要はない。
バランサーや重心高さ調整バランサーとしては、タングステン，真鍮，鉄，銅，金などの比重の大きな金属やマグネシウム，アルミニウム，チタンなどの比重の小さな金属などを主成分として形成されるものの他に、金属よりも比重の小さな（軽量な）ＡＢＳ樹脂やＰＣ樹脂などの合成樹脂系や合成ゴム系などの材料で形成されるものを組合せて使用することができる。
【０００７】
バランサーはビス等によるねじ止めでヘッド本体に着脱自在に固定するものが好適に用いられる。また、重心高さ調整バランサーは、バランサーを保護するカバー部の内部構造の一部に空洞を設け、その内部に収容することができる。
バランサーや重心高さ調整バランサーに磁力を持たせた場合、複数のバランサーや重心高さ調整バランサーを一体に取り扱うことができ、重心の調整を容易に行うことができるだけでなく、微妙な振動も抑えることが可能となり、使用性に優れる。尚、全てのバランサーや重心高さ調整バランサーに磁力を持たせる必要はなく、一部のみに磁力を持たせるようにして、磁力を持たないバランサーや重心高さ調整バランサーと組合せて使用してもよい。また、重心高さ調整バランサーは、重心高さ調整部に嵌装するだけでもよいが、重心位置が決定した後は接着剤を充填する等して固定してもよい。
バランサーの総重量は、適宜、選択することができるが、ゴルフクラブヘッドの総重量に対して０．５％〜５０％の割合で調整可能とすることが好ましい。ゴルフクラブヘッドの総重量に対するバランサーの総重量の割合が０．５％よりも少なくなるにつれ、バランス調整の効果が不十分となる傾向があり、５０％よりも多くなるにつれ、ヘッド本体単体の重量が軽くなり過ぎ、バランサーを付加しない場合のヘッドスピードが速くなり易く、ブレーキ効果が低下し易くなる傾向があり、いずれも好ましくない。
但し、ヘッド本体を合成樹脂等の軽量な材質で形成することにより、バランサーの調整範囲は最大８０％程度まで拡大することが可能となる。
【０００８】
請求項２に記載の考案は、請求項１に記載のゴルフクラブヘッドであって、前記バランス調整部が、前記ヘッド本体のバックフェース面側のトウ側及びヒール側の角部に形成された切り欠き部と、前記切り欠き部のバックフェース面側の端面に形設された本体雌螺子部と、前記バランサーの中央部に穿設された挿通孔に挿通される挿通軸と，前記挿通軸の一端に形設され前記切り欠き部の前記本体雌螺子部に螺合される雄螺子部と，前記バランサーの前記挿通孔よりも大きな外形を有し前記挿通軸の他端に配設された頭部と，前記頭部に形設された頭部雌螺子部と，を備えたバランサー固定具と、を有し、前記カバー部が、前記カバー部のバックフェース面側から前記バランサー収容凹部に連通する貫通孔と、前記貫通孔から挿通され前記バランサー固定具の前記頭部雌螺子部に螺着されるカバー部固定螺子と、を備えている構成を有している。
この構成により、請求項１の作用に加え、以下のような作用を有する。
（１）バランス調整部が、ヘッド本体のバックフェース面側のトウ側及びヒール側の角部に形成された切り欠き部と、切り欠き部のバックフェース面側の端面に形設された本体雌螺子部を有するので、バランサー固定具を簡便に着脱することができ、バランサーの交換が容易で、メンテナンス性に優れる。
（２）バランサー固定具の挿通軸の一端に切り欠き部の本体雌螺子部に螺合される雄螺子部が形設され、他端にバランサーの挿通孔よりも大きな外形を有する頭部が形成されていることにより、挿通軸をバランサーの挿通孔に挿通し、雄螺子部を本体雌螺子部に螺合するだけで、切り欠き部のバックフェース面側の端面と頭部との間でバランサーを挟むようにして保持することができ、バランサーの固定安定性に優れる。
（３）バランサー固定具の頭部に頭部雌螺子部が形設され、カバー部にバックフェース面側からバランサー収容凹部に連通する貫通孔が穿設されていることにより、カバー部固定螺子をカバー部の貫通孔から挿通し、バランサー固定具の頭部雌螺子部に螺着するだけで簡便かつ強固にカバー部をヘッド本体に対して固定することができ、分解及び組立の作業性に優れる。
（４）バランサー固定具の挿通軸が、切り欠き部のバックフェース面側の端面に形設された本体雌螺子部に螺合されることにより、ヘッド本体のフェース面側からバックフェース面側に向かって略水平に配置されるので、バランサーの数や比重と配置の組合せで、重心の位置をフェース面側とバックフェース面側の間で前後方向に調整することができ、使用性に優れる。
【０００９】
ここで、バランサーの外形は、円形状，矩形状，多角形状などの形状やこれらを組合せた形状などに形成され、中央部に挿通軸に挿通するための挿通孔が穿設される。
バランス調整部はバランサーによって重心のバランスを調整するため、カバー部は軽量な材質で形成することが好ましいが、外力などによる破損を防止するために、機械的強度に優れるポリカーボネート等のエンジニアリング樹脂が好適に用いられる。また、マグネシウム等の軽金属系の素材を用いた場合、高級感があり、ヘッド本体との統一性に優れる。また、スイング時にカバー部が地面に当たって破損しないように、カバー部のバックフェース面側の端部をヘッド本体のバックフェース面よりも短くしたり、カバー部のソール側の角を面取りしたりしてもよい。
尚、極端な高温や零下などのように温度差の激しい場合の使用については、必要であれば、バランサー収容凹部に樹脂などを充填してバランサーを固定してもよい。バランサーを確実に固定することができ、固定安定性に優れるためである。
【００１０】
請求項３に記載の考案は、請求項１又は２に記載のゴルフクラブヘッドであって、前記バランサー及び前記重心高さ調整バランサーが、比重の異なる金属，合成樹脂，合成ゴムのいずれか１種以上を組合せたものである構成を有している。
この構成により、請求項１又は２の作用に加え、以下のような作用を有する。
（１）バランサー及び重心高さ調整バランサーとして、比重の異なる金属，合成樹脂，合成ゴムのいずれか１種以上を組合せることにより、ヘッド本体の前後方向や左右方向に加え、上下方向の重心位置も簡便に調整することができ、ユーザの癖や好み等に細かく対応することが可能で、重心調整の自在性、汎用性に優れる。
ここで、バランサー及び重心高さ調整バランサーの振動防止を考慮した場合は、軽金属で形成することが好ましい。
【００１１】
請求項４に記載の考案は、請求項１乃至３の内いずれか１項に記載のゴルフクラブヘッドであって、前記ヘッド本体のソールの少なくともトウ側とヒール側の間のセンター部に形成された凹部を備えている構成を有している。
この構成により、請求項１乃至３の内いずれか１項の作用に加え、以下のような作用を有する。
（１）ヘッド本体のソールの少なくともトウ側とヒール側の間のセンター部に形成された凹部を有することにより、ヘッド本体の重量を軽くしてバランサーや重心高さ調整バランサーによる重心位置調整の幅を広げることができ、重心調整の自在性、汎用性に優れる。
（２）ヘッド本体のソールに凹部が形成されることにより、ヘッド本体の重心位置が高くなり、フェースがボールの重心（赤道位置）よりもやや高い位置に当たって、トップスピンでボールに高速回転を与え易くなり、スピードが加速され、ボールがよく伸びる効果が期待でき、ロングやミドルの距離のパッティングに好適に用いることができる。
（３）ソールに凹部を形成して予め重心位置を高くしたヘッド本体に対し、バランサーや重心高さ調整バランサーを組み合わせることにより、重心位置を自在に調整することができ、重心を低くした場合には、フェースがボールの重心（赤道位置）よりもやや低い位置に当たり、バックスピンでボールにややブレーキがかかってスピードが落ちるので、重いボールとなってコントロールが付き易く、距離の短いショートのパッティングに好適に用いることができる。
【００１２】
ここで、凹部の深さは、ゴルフクラブの種類や番手、或いはユーザの好みや癖等に応じて選択することができるが、０．５ｍｍ〜８ｍｍ好ましくは２ｍｍ〜６ｍｍが望ましい。凹部の深さが２ｍｍよりも浅くなるにつれ、ヘッド本体の重心位置が低くなり、バックスピンでボールにブレーキがかかり易くなって、ロングやミドルの距離のパッティングに対応し難くなる傾向があり、６ｍｍより大きくなるにつれ、ヘッド本体の重心位置が高くなり、トップスピンでボールのスピードが加速され易くなって、コントロール性が低下し、ショートのパッティングに対応し難くなる傾向がある。また、０．５ｍｍより小さくなると、ヘッド本体の重心位置が低くなり過ぎて、重心高さ調整バランサーによる重心高さの調整が困難になり、８ｍｍより大きくなると、ヘッド本体の重心位置が高くなり過ぎて、重心高さ調整バランサーによる重心高さの調整が困難になり、いずれも好ましくない。
凹部の深さを２ｍｍ〜６ｍｍとすることにより、予め重心位置を高くしたヘッド本体に対し、重心高さ調整バランサーを組み合わせて、重心高さを調整することができ、トップスピンからバックスピンまで幅広く対応することができ、重心調整の自在性、汎用性に優れる。
【００１３】
請求項５に記載の考案は、請求項４に記載のゴルフクラブヘッドであって、前記凹部が、前記ヘッド本体のフェース面側が深くなるようにバックフェース面側から彫り込まれて形成された傾斜部を備えている構成を有している。
この構成により、請求項４の作用に加え、以下のような作用を有する。
（１）凹部が、ヘッド本体のフェース面側が深くなるようにバックフェース面側から彫り込まれて形成された傾斜部を有することにより、スイング時に芝が凹部から抜け出し易く、ヘッドをスムーズに振り抜くことができ、使用性に優れる。
ここで、傾斜部は凹部全体に形成してもよいし、凹部のバックフェース面側に部分的に形成してもよい。
【００１４】
請求項６に記載の考案は、請求項１乃至５の内いずれか１項に記載のゴルフクラブヘッドであって、前記ヘッド本体のソールの形状が、バウンスソール，スクープソール，フラットソール，ラウンドソールの内のいずれか１つ又は２つの組合せで形成されている構成を有している。
この構成により、請求項１乃至５の内いずれか１項の作用に加え、以下のような作用を有する。
（１）ヘッド本体のソールの形状が、バウンスソール，スクープソール，フラットソール，ラウンドソールの内のいずれか１つ又は２つの組合せで形成されていることにより、ゴルフクラブの種類や番手、或いはユーザの好みや癖に対応することができ、汎用性に優れる。
（２）ソールの形状が、ボールの当たるフェース面側が低く、バックフェース面側が高いバウンスソールの形状を有する場合、芝の影響を受け難く、距離感だけでなく、正確な方向性が得られ、取り扱い性に優れる。特にショートパッティング用のパターのクラブヘッドとして用いた場合は、減速（ブレーキ）効果を得ることができ、結果として２から３ｍ以内のパッティングについては、カップインの確率を向上させることができる。
【００１５】
ここで、バウンス角度は１度〜３度が好ましい。バウンス角度が１度よりも小さくなるにつれ、ボールが右に曲がり易くなる（スライスし易くなる）傾向があり、３度よりも大きくなるにつれ、ボールが左に曲がり易くなる（フックし易くなる）傾向があり、いずれも好ましくない。
また、バウンスソールの形状を形成する範囲は、ロフト角度やゴルフクラブの種類や番手、或いはゴルファーの好みなどによって適宜、選択することができる。適度な比率でバウンスソールを形成することにより、スムーズなストロークが可能となる。
【００１６】
請求項７に記載の考案は、請求項１乃至６の内いずれか１項に記載のゴルフクラブヘッドであって、ウッド，アイアン，パターの内のいずれか一種である構成を有している。
この構成により、請求項１又は２の作用に加え、以下のような作用を有する。
（１）バランサーや重心高さ調整バランサーでヘッドの重心バランスを三次元的に調整し、プレーヤーの個性に合わせて最適な重心バランスを選択することにより、簡便にヘッドスピードを低減させたり、容易にボールにバックスピン（逆回転）やトップスピンをかけたりすることができ、ボールにコントロールをつけ易く、パッティング用やショートクラブ用からロングクラブ用まで様々な距離に対応し、幅広く使用することができ、汎用性、使用性に優れる。
（２）パター用のゴルフクラブヘッドとした場合は、重心高さ調整バランサーとの組合せにより、ロングパッティング用からショートパッティング用まで対応することができる。重心位置を高くすれば、ボールがよく伸びて、ロングやミドルの距離のパッティング用に好適に用いることができ、重心位置を低くすれば、短距離又は速いグリーンやグリーン周辺（カラー又はエッジ）でのパッティング用に好適に用いることができ、容易に方向性や距離感の微妙な調整を行うことができ、芝目に左右され難く、使用性に優れる。
（３）ウッドやアイアン用のゴルフクラブヘッドとした場合は、バランサーや重心高さ調整バランサーで重心バランスを最適に調整することにより、ボールに容易にバックスピン（逆回転）やトップスピンをかけることができ、初心者でもボールにコントロールをつけ易く、使用性に優れる。
【００１７】
本考案の請求項８に記載のゴルフクラブは、請求項１乃至７の内いずれか１項に記載のゴルフクラブヘッドを備えている構成を有している。
この構成により、以下のような作用を有する。
（１）カップまでの距離やグリーン上の芝の種類、状態などに応じてボールの飛距離や速度、回転、転がりなどを容易に調整することができ、ショートクラブや短距離又は速いグリーン専用のパタークラブからロングクラブやアイアンクラブまで、幅広く対応することができ、機能性、使用性に優れる。
【考案の効果】
【００１８】
以上のように、本考案のゴルフクラブヘッド及びそれを備えたゴルフクラブによれば、以下のような有利な効果が得られる。
請求項１に記載の考案によれば、以下のような効果を有する。
（１）バランサー収容凹部に収容されるバランサーによるヘッドの前後方向や左右方向の重心位置の調整に加え、重心高さ調整部に収容される重心高さ調整バランサーによる上下方向の重心位置の調整を行うことができ、幅広い範囲でユーザの癖や好み等に応じた最適な重心バランスを細かく設定することができる重心調整の自在性、汎用性に優れたゴルフクラブヘッドを提供することができる。
【００１９】
請求項２に記載の考案によれば、請求項１の効果に加え、以下のような効果を有する。
（１）バランサー固定具の頭部に頭部雌螺子部が形設され、カバー部にバックフェース面側からバランサー収容凹部に連通する貫通孔が穿設されていることにより、カバー部固定螺子をカバー部の貫通孔から挿通し、バランサー固定具の頭部雌螺子部に螺着するだけで簡便かつ強固にカバー部をヘッド本体に対して固定することができる分解及び組立の作業性、省スペース性に優れたゴルフクラブヘッドを提供することができる。
【００２０】
請求項３に記載の考案によれば、請求項１又は２の効果に加え、以下のような効果を有する。
（１）バランサー及び重心高さ調整バランサーとして、比重の異なる金属，合成樹脂，合成ゴムのいずれか１種以上の数や配置を組合せることにより、ヘッド本体の前後方向や左右方向に加え、上下方向の重心位置も簡便に調整することができ、ユーザの癖や好み等に細かく対応することが可能で、重心調整の自在性、汎用性に優れたゴルフクラブヘッドを提供することができる。
【００２１】
請求項４に記載の考案によれば、請求項１乃至３の内いずれか１項の効果に加え、以下のような効果を有する。
（１）ヘッド本体のソールの少なくともトウ側とヒール側の間のセンター部に凹部を形成することにより、ヘッド本体の重量を軽くすることができ、バランサーや重心高さ調整バランサーとの組合せによる重心位置調整の幅を広げることができる重心調整の自在性、汎用性に優れたゴルフクラブヘッドを提供することができる。
【００２２】
請求項５に記載の考案によれば、請求項４の効果に加え、以下のような効果を有する。
（１）ヘッド本体のソールに形成される凹部が、ヘッド本体のフェース面側が深くなるようにバックフェース面側から彫り込まれて形成された傾斜部を有することにより、スイング時に芝が凹部から抜け出し易く、ヘッドをスムーズに振り抜くことができる使用性に優れたゴルフクラブヘッドを提供することができる。
【００２３】
請求項６に記載の考案によれば、請求項１乃至５の内いずれか１項の効果に加え、以下のような効果を有する。
（１）ヘッド本体のソールの形状が、バウンスソール，スクープソール，フラットソール，ラウンドソールの内のいずれか１つ又は２つの組合せで形成されていることにより、ゴルフクラブの種類や番手、或いはユーザの好みや癖に対応することができる汎用性に優れたゴルフクラブヘッドを提供することができる。
【００２４】
請求項７に記載の考案によれば、請求項１乃至６の内いずれか１項の効果に加え、以下のような効果を有する。
（１）バランサーや重心高さ調整バランサーでヘッドの重心バランスを三次元的に調整し、プレーヤーの個性に合わせて最適な重心バランスを選択することにより、簡便にヘッドスピードを低減させたり、容易にボールにバックスピン（逆回転）やトップスピンをかけたりすることができ、ボールにコントロールをつけ易く、パッティング用やショートクラブ用からロングクラブ用まで様々な距離に対応し、幅広く使用することができる汎用性、使用性に優れたゴルフクラブヘッドを提供することができる。
【００２５】
請求項８に記載の考案によれば、以下のような効果を有する。
（１）カップまでの距離やグリーン上の芝の種類、状態などに応じてボールの飛距離や速度、回転、転がりなどを容易に調整することができ、ショートクラブや短距離又は速いグリーン専用のパタークラブからロングクラブやアイアンクラブまで、幅広く対応することができる機能性、使用性に優れたゴルフクラブを提供することができる。
【考案を実施するための最良の形態】
【００２６】
（実施の形態１）
本考案の実施の形態１のゴルフクラブに用いるゴルフクラブヘッドについて、以下図面を用いて説明する。
図１は実施の形態１のゴルフクラブに用いるゴルフクラブヘッドの上面側の斜視図であり、図２は実施の形態１のゴルフクラブに用いるゴルフクラブヘッドの底面側の斜視図であり、図３は実施の形態１のゴルフクラブに用いるゴルフクラブヘッドの平面図である。
図１中、１は実施の形態１のゴルフクラブに用いるパター用のゴルフクラブヘッド、２はゴルフクラブヘッド１のヘッド本体、２ａはゴルフクラブヘッド１のフェース面、２ｂはゴルフクラブヘッド１のバックフェース面、２ｃはゴルフクラブヘッド１のクラウン２ｄ側に形成されたシャフト差込孔、５はヘッド本体２のバックフェース面２ｂ側のトウ側及びヒール側の角部に形成された切り欠き部４にカバー部６が着脱自在に覆設されて形成された左右一対のバランス調整部、８はヘッド本体２にカバー部６を固定するためのカバー部固定螺子である。
【００２７】
図２中、３はゴルフクラブヘッド１のソール、３ａはヘッド本体２のソール３のトウ側とヒール側の間のセンター部に形成された凹部、３ｂは凹部３ａにおいてヘッド本体２のフェース面２ａ側が深くなるようにバックフェース面２ｂ側から彫り込まれて形成された傾斜部である。
凹部３ａの深さは、ゴルフクラブの種類や番手、或いはユーザの好みや癖等に応じて選択することができるが、２ｍｍ〜６ｍｍに形成した。凹部３ａの深さが２ｍｍよりも浅くなるにつれ、ヘッド本体２の重心位置が低くなり、バックスピンでボールにブレーキがかかり易くなって、ロングやミドルの距離のパッティングに対応し難くなる傾向があり、６ｍｍより大きくなるにつれ、ヘッド本体２の重心位置が高くなり、トップスピンでボールのスピードが加速され易くなって、コントロール性が低下し、ショートのパッティングに対応し難くなる傾向があることがわかったためである。
【００２８】
次に、ゴルフクラブヘッドのバランス調整部の詳細について説明する。
図４は実施の形態１のゴルフクラブに用いるゴルフクラブヘッドの分解斜視図、図５は図３のＡ−Ａ線矢視断面図、図６は図３のＢ−Ｂ線矢視断面図であり、図７は図３のC−C線矢視断面図である。
である。
図４及び図５中、２ｅは切り欠き部４のバックフェース面２ｂ側の端面に形設された本体雌螺子部、７は後述するバランサー９を固定するためのバランサー固定具、７ａはバランサー９の中央部に穿設された挿通孔９ａに挿通されるバランサー固定具７の挿通軸、７ｂは挿通軸7ａの一端に形設され切り欠き部４の本体雌螺子部２ｅに螺合されるバランサー固定具７の雄螺子部、７ｃはバランサー９の挿通孔９ａよりも大きな外形を有し挿通軸７ａの他端に配設されたバランサー固定具７の頭部、７ｄはバランサー固定具７を回転させて着脱する工具を嵌合するために頭部７ｃに形設された４箇所の工具嵌合凹部、７ｅは頭部７ｃの中央に形設されカバー部固定螺子８が螺着されるバランサー固定具７の頭部雌螺子部、８ａはカバー部６のバックフェース面２ｂ側に形成された貫通孔６ｄから挿通されバランサー固定具７の頭部雌螺子部７ｅに螺着されるカバー部固定螺子８の雄螺子部、８ｂは雄螺子部８ａの端部に配設されたカバー部固定螺子８の頭部、８ｃはカバー部固定螺子８を回転させて着脱する工具を嵌合するために頭部８ｂに形設された４箇所の工具嵌合凹部、９は円板状に形成され中央の挿通孔９ａにバランサー固定具７の挿通軸７ａが挿通されて固定される複数のバランサー、１０は切り欠き部４のバックフェース面２ｂ側の端面とバランサー９との間に配設されバランサー９を固定するスペーサ、１０ａはスペーサ１０の中央に穿設され挿通軸７ａが挿通される挿通孔である。
【００２９】
ロフト角度はゴルフクラブの種類や番手、或いはユーザの好みによっても変わるが、本実施の形態では、図４に示すように、３度〜１０度に形成した。
ロフト角度が３度よりも小さくなるにつれ、バックスピンがかかり難くなり、減速効果が低下し易くなると共に、ボールの芯を捕らえ難くなり、方向性が狂い易くなる傾向が見られ、１０度よりも大きくなるにつれ、減速効果が大きくなり過ぎて距離が出難くなる傾向が見られることがわかったためである。
ロフト角度を５度〜１０度とすることにより、初級者や中級者にとっても容易に芯を捕らえることができ、横滑りが発生し難く、パッティング方向の安定性に優れ、特に、ショートパッティング用のパタークラブに好適に用いることができる。
【００３０】
図６及び図７中、６ｂ，６ｃはバランサー収容凹部６ａ（図６参照）と仕切られヘッド本体２のクラウン２ｄ側及びソール３側にそれぞれ形設され１乃至複数の重心高さ調整バランサー（図示せず）が収容される上下一対の重心高さ調整部である。
本実施の形態では、ソール３の形状の関係で、重心高さ調整部６ｂよりも重心高さ調整部６ｃが短くなるため、重心高さ調整部６ｃのフェース面２ａ側の一部を大径に形成することにより、大きな重心高さ調整バランサーが収容できるようにして、重心高さ調整部６ｂと重心高さ調整部６ｃの間で上下の重心のバランスが取れるようにしたが、重心高さ調整部６ｂ及び重心高さ調整部６ｃの形状はこれに限定されるものではなく、ソール３の形状などに応じて、適宜、選択することができる。
【００３１】
バランサー９及び重心高さ調整バランサーとしては、タングステン，真鍮，鉄，銅，金などの比重の大きな金属やマグネシウム，アルミニウム，チタンなどの比重の小さな金属などを主成分として形成されるものの他に、金属よりも比重の小さな（軽量な）ＡＢＳ樹脂やＰＣ樹脂などの合成樹脂や合成ゴムなどで形成されるものを組合せて使用することができる。
バランサー９や重心高さ調整バランサーの材質、数、配置の組合せなどにより、ゴルフクラブヘッド１の重心の位置を簡便に調整することができる。
バランサー９の総重量は、適宜、選択することができるが、ゴルフクラブヘッド１の総重量に対して０．５％〜５０％の割合で調整可能とした。ゴルフクラブヘッド１の総重量に対するバランサー９の総重量の割合が０．５％よりも少なくなるにつれ、バランス調整の効果が不十分となる傾向があり、５０％よりも多くなるにつれ、ヘッド本体２単体の重量が軽くなり過ぎ、バランサーを付加しない場合のヘッドスピードが速くなり易く、ブレーキ効果が低下し易くなる傾向があることがわかったためである。
バランス調整部５はバランサー９によって重心のバランスを調整するため、カバー部６は軽量な材質で形成することが好ましいが、外力などによる破損を防止するために、機械的強度に優れるポリカーボネート等のエンジニアリング樹脂やマグネシウム等の軽金属系の素材を用いて形成した。
【００３２】
以上のように形成された実施の形態１のゴルフクラブに用いるゴルフクラブヘッドのバランス調整方法について説明する。
まず、図４及び５において、工具でカバー部固定螺子８を回転させ、カバー部固定螺子８の雄螺子部８ａとバランサー固定具７の頭部雌螺子部７ｅとの締結を緩めることにより、ヘッド本体２からカバー部６を取り外す。
次に、工具でバランサー固定具７を回転させ、バランサー固定具７の雄螺子部７ｂとヘッド本体２の本体雌螺子部２ｅとの締結を緩めることにより、ヘッド本体２からバランサー固定具７と共にバランサー９，スペーサ１０を取り外し、バランサー固定具７の挿通軸７ａからバランサー９，スペーサ１０を抜き取る。
ゴルフクラブに要求される飛距離、風やグリーンの状態、或いはユーザの好みや癖などに応じて、各々のバランサー９の重量、数、配置を選択してバランサー固定具７の挿通軸７ａに挿通し、バランサー固定具７の雄螺子部７ｂをヘッド本体２の本体雌螺子部２ｅに螺着して固定する。
左右一対のバランス調整部５のバランサー収容凹部６ａに収容するバランサー９のそれぞれの数と配置は、トウ側とヒール側で同じでもよいし、異なっていてもよい。
これにより、ヘッド本体２の前後方向及び左右方向の重心位置の調整を行うことができる。
【００３３】
次に、図６に示したカバー部６の上下の重心高さ調整部６ｂ，６ｃに、１乃至複数の重心高さ調整バランサーを嵌装する。各々の重心高さ調整バランサーの重量、数、配置を選択することにより、ヘッド本体２の上下方向の重心位置を調整することができる。重心高さ調整バランサーは、重心高さ調整部６ｂ，６ｃの形状に合わせて円柱状や角柱状に形成したものを嵌装するだけでもよいが、重心位置が決定した後は接着剤を充填する等して固定してもよい。
尚、バランサーや重心高さ調整バランサーに磁力を持たせてもよい。複数のバランサーや重心高さ調整バランサーがバラバラになり難くなり、重心の調整や固定も容易になって、取扱い性に優れるためである。
【００３４】
以上のように構成されたゴルフクラブヘッド１のシャフト差込孔２ｃにシャフトを差し込み、固定することにより、実施の形態１のゴルフクラブが得られる。
尚、本実施の形態では、パター用のゴルフクラブヘッド１について説明したが、ウッドやアイアン等に対しても同様の理論を適用することができる。即ち、ヘッド本体２のバックフェース２ａ面側のトウ側及びヒール側に左右一対のバランス調整部５を形成し、各々のバランス調整部５に着脱自在に覆設されるカバー部６が、バランサー９の外周を囲繞するバランサー収容凹部６ａと、バランサー収容凹部６ａと仕切られヘッド本体２のクラウン２ｄ側及びソール３側に形設され１乃至複数の重心高さ調整バランサーが収容される上下一対の重心高さ調整部６ｂ，６ｃを有する構成とすることにより、バランサー収容凹部６ａに収容されるバランサー９によるヘッドの前後方向や左右方向の重心位置の調整だけでなく、上下方向の重心位置も調整することができ、ユーザの癖や好み等に応じた最適な重心バランスを設定することができ、重心調整の自在性、汎用性に優れるという作用を有する。
【００３５】
以上のように、実施の形態１におけるゴルフクラブヘッドは構成されているので、以下のような作用を有する。
（１）ヘッド本体に着脱自在に覆設されるバランス調整部のカバー部が、バランサーの外周を囲繞するバランサー収容凹部を有するので、バランサーを風雨や外力から保護して破損や紛失などを防ぐことができ、使用性に優れる。
（２）カバー部が、ヘッド本体のクラウン側及びソール側に形設され１乃至複数の重心高さ調整バランサーが収容される上下一対の重心高さ調整部を有するので、バランサー収容凹部に収容されるバランサーによるヘッドの前後方向や左右方向の重心位置の調整だけでなく、上下方向の重心位置も調整することができ、ユーザの癖や好み等に応じた最適な重心バランスを設定することができ、重心調整の自在性、汎用性に優れる。
（３）バランサー収容凹部と上下一対の重心高さ調整部が仕切られているので、バランサー収容凹部に収容されるバランサーと、重心高さ調整部に収容される重心高さ調整バランサーが干渉することがなく、使用性に優れる。
（４）バランサー収容凹部に収容されるバランサーや重心高さ調整部に収容される重心高さ調整バランサーの数、各々のバランサーや重心高さ調整バランサーの比重（重量）、配置の組合せを選択することにより、ヘッド本体の形状によらず、ユーザの癖や好み等に応じて、幅広い範囲で簡便にヘッド本体の重心位置を細かく調整して最適位置を選択することができ、重心設計の自在性、汎用性に優れる。
（５）バランサーや重心高さ調整バランサーでヘッド全体の重心をフェース面側やソール面側が重くなるようにした場合、フェース面がボールの芯の下（赤道上の重心より低い位置）に当たり易くなり、ボールのバックスピン回転を増やすことができ、ボールにコントロールをつけ易く、ショートクラブ用或いは短距離又は速いグリーンでのパッティング用のクラブヘッドとしての使用性に優れる。
（６）バランサーや重心高さ調整バランサーでヘッド全体の重心をクラウン側やバックフェース面が重くなるようにした場合、フェース面がボールの芯（赤道上の重心付近）又は芯よりやや高い位置に当たり易くなり、インパクト時のロスを減らして、飛距離を伸ばすことができる。逆に、バランサーや重心高さ調整バランサーでヘッド全体の重心をソール側に調整した場合、ボールの芯の下（赤道上の重心より低い位置）に当たり易くなり、インパクト時のロスを増やして飛距離を抑えることができる。
（７）バランス調整部が、ヘッド本体のバックフェース面側のトウ側及びヒール側の角部に形成された切り欠き部と、切り欠き部のバックフェース面側の端面に形設された本体雌螺子部を有するので、バランサー固定具を簡便に着脱することができ、バランサーの交換が容易で、メンテナンス性に優れる。
（８）バランサー固定具の挿通軸の一端に切り欠き部の本体雌螺子部に螺合される雄螺子部が形設され、他端にバランサーの挿通孔よりも大きな外形を有する頭部が形成されていることにより、挿通軸をバランサーの挿通孔に挿通し、雄螺子部を本体雌螺子部に螺合するだけで、切り欠き部のバックフェース面側の端面と頭部との間でバランサーを挟むようにして保持することができ、バランサーの固定安定性に優れる。
（９）バランサー固定具の頭部に頭部雌螺子部が形設され、カバー部にバックフェース面側からバランサー収容凹部に連通する貫通孔が穿設されていることにより、カバー部固定螺子をカバー部の貫通孔から挿通し、バランサー固定具の頭部雌螺子部に螺着するだけで簡便かつ強固にカバー部をヘッド本体に対して固定することができ、分解及び組立の作業性に優れる。
（１０）バランサー固定具の挿通軸が、切り欠き部のバックフェース面側の端面に形設された本体雌螺子部に螺合されることにより、ヘッド本体のフェース面側からバックフェース面側に向かって略水平に配置されるので、バランサーの数や比重と配置の組合せで、重心の位置をフェース面側とバックフェース面側の間で前後方向に調整することができ、使用性に優れる。
（１１）バランサー及び重心高さ調整バランサーとして、比重の異なる金属，合成樹脂，合成ゴムのいずれか１種以上を組合せることにより、ヘッド本体の前後方向や左右方向に加え、上下方向の重心位置も簡便に調整することができ、ユーザの癖や好み等に細かく対応することが可能で、重心調整の自在性、汎用性に優れる。
（１２）ヘッド本体のソールの少なくともトウ側とヒール側の間のセンター部に形成された凹部を有することにより、ヘッド本体の重量を軽くしてバランサーや重心高さ調整バランサーによる重心位置調整の幅を広げることができ、重心調整の自在性、汎用性に優れる。
（１３）ヘッド本体のソールに凹部が形成されることにより、ヘッド本体の重心位置が高くなり、フェースがボールの重心（赤道位置）よりもやや高い位置に当たって、トップスピンでボールに高速回転を与え易くなり、スピードが加速され、ボールがよく伸びる効果が期待でき、ロングやミドルの距離のパッティングに好適に用いることができる。
（１４）ソールに凹部を形成して予め重心位置を高くしたヘッド本体に対し、バランサーや重心高さ調整バランサーを組み合わせることにより、重心位置を自在に調整することができ、重心を低くした場合には、フェースがボールの重心（赤道位置）よりもやや低い位置に当たり、バックスピンでボールにややブレーキがかかってスピードが落ちるので、重いボールとなってコントロールが付き易く、距離の短いショートのパッティングに好適に用いることができる。
（１５）凹部が、ヘッド本体のフェース面側が深くなるようにバックフェース面側から彫り込まれて形成された傾斜部を有することにより、スイング時に芝が凹部から抜け出し易く、ヘッドをスムーズに振り抜くことができ、使用性に優れる。
【００３６】
以上のように、実施の形態１におけるゴルフクラブは構成されているので、以下のような作用を有する。
（１）ヘッド本体のソールの形状が、バウンスソール，スクープソール，フラットソール，ラウンドソールの内のいずれか１つ又は２つの組合せで形成されていることにより、ゴルフクラブの種類や番手、或いはユーザの好みや癖に対応することができ、汎用性に優れる。
（２）ソールの形状が、ボールの当たるフェース面側が低く、バックフェース面側が高いバウンスソールの形状を有する場合、芝の影響を受け難く、距離感だけでなく、正確な方向性が得られ、取り扱い性に優れる。特にショートパッティング用のパターのクラブヘッドとして用いた場合は、減速（ブレーキ）効果を得ることができ、結果として１〜２ｍ程度のパッティングについては、カップインの確率を向上させることができる。
（３）バランサーや重心高さ調整バランサーでヘッドの重心バランスを三次元的に調整し、プレーヤーの個性に合わせて最適な重心バランスを選択することにより、簡便にヘッドスピードを低減させたり、容易にボールにバックスピン（逆回転）やトップスピンをかけたりすることができ、ボールにコントロールをつけ易く、パッティング用やショートクラブ用からロングクラブ用まで様々な距離に対応し、幅広く使用することができ、汎用性、使用性に優れる。
（４）パター用のゴルフクラブヘッドとした場合は、重心高さ調整バランサーとの組合せにより、ロングパッティング用からショートパッティング用まで対応することができる。重心位置を高くすれば、ボールがよく伸びて、ロングやミドルの距離のパッティング用に好適に用いることができ、重心位置を低くすれば、短距離又は速いグリーンやグリーン周辺（カラー又はエッジ）でのパッティング用に好適に用いることができ、容易に方向性や距離感の微妙な調整を行うことができ、芝目に左右され難く、使用性に優れる。
（５）ウッドやアイアン用のゴルフクラブヘッドとした場合は、バランサーや重心高さ調整バランサーで重心バランスを最適に調整することにより、ボールに容易にバックスピン（逆回転）やトップスピンをかけることができ、初心者でもボールにコントロールをつけ易く、使用性に優れる。
【００３７】
尚、実施の形態１乃至３ではいずれもパター用のゴルフクラブヘッド１，１ａ，１ｂ及びそれを備えたゴルフクラブ２０，２０ａ，２０ｂについて説明したが、ウッドやアイアン等に対しても同様の理論を適用することができる。即ち、ソール３，３ａ，３ｂが互いに交差する複数の凸条６ａ，６ｂを有する凹凸部６Ａや凹溝６ｃ，６ｄを有する凹凸部６Ｃ，６Ｄを備えることにより、芝が凹凸部６Ａ，６Ｃ，６Ｄに引っ掛かるので、ヘッドスピードを抑えることができ、距離を低減させて、ボール３０にコントロールを付け易く、取り扱い性に優れるという作用を有する。また、ソール３の形状が、ボール３０の当たるフェース面２ａ側が高く、バックフェース面２ｂ側が低いバウンスソールの形状を有する場合、芝の影響を受け難くする効果から、距離感だけでなく、正確な方向性が得られ、取り扱い性に優れるという作用を有する。
【産業上の利用可能性】
【００３８】
本考案は、プレーヤーの個性に合わせてヘッドの前後方向や左右方向だけでなく、上下方向の重心バランスを最適に調整することにより、容易にボールにバックスピン（逆回転）やトップスピンをかけたりすることができ、ボールにコントロールをつけ易い汎用性、取扱い性に優れ、幅広い範囲で微調整が可能な重心調整の自在性に優れるゴルフクラブヘッドの提供、及びそれを備えることにより、カップまでの距離やグリーン上の芝の種類、状態などに応じてボールの飛距離や速度、回転、転がりなどを容易に調整することができる機能性、使用性に優れるゴルフクラブの提供を行って、初心者だけでなく上級者までのスコアアップを図り、ゴルフ人口の増加を実現することができる。
【図面の簡単な説明】
【００３９】
【図１】実施の形態１のゴルフクラブに用いるゴルフクラブヘッドの上面側の斜視図
【図２】実施の形態１のゴルフクラブに用いるゴルフクラブヘッドの底面側の斜視図
【図３】実施の形態１のゴルフクラブに用いるゴルフクラブヘッドの平面図
【図４】実施の形態１のゴルフクラブに用いるゴルフクラブヘッドの分解斜視図
【図５】図３のＡ−Ａ線矢視断面図
【図６】図３のＢ−Ｂ線矢視断面図
【図７】図３のＣ−Ｃ線矢視断面図
【符号の説明】
【００４０】
１  ゴルフクラブヘッド
２  ヘッド本体
２ａ  フェース面
２ｂ  バックフェース面
２ｃ  シャフト差込孔
２ｄ  クラウン
２ｅ  本体雌螺子部
３  ソール
３ａ  傾斜部
４  切り欠き部
５  バランス調整部
６  カバー部
６ａ  バランサー収容凹部
６ｂ，６ｃ  重心高さ調整部
６ｄ  貫通孔
７  バランサー固定具
７ａ  挿通軸
７ｂ  雄螺子部
７ｃ  頭部
７ｄ  工具嵌合凹部
７ｅ  頭部雌螺子部
８  カバー部固定螺子
８ａ  雄螺子部
８ｂ  頭部
８ｃ  工具嵌合凹部
９  バランサー
９ａ  挿通孔
１０  スペーサ
１０ａ  挿通孔
【図１】
0003148909.tif 000003
【図２】
0003148909.tif 000004
【図３】
0003148909.tif 000005
【図４】
0003148909.tif 000006
【図５】
0003148909.tif 000007
【図６】
0003148909.tif 000008
【図７】
0003148909.tif 000009